(57)【要約】【課題】    引き寄せ金物の小型軽量化を図り、引き抜き力による取り付けられた柱への引き寄せ金物下部のめり込みを抑止し、粘りを増し高耐力化を実現する。【解決手段】  鋼板をＵ字型に折曲し一対の側壁の両側に平板を設けビス孔を穿ちビス止めによる取り付け固定部分とする。  引き抜き金物上端縁先端に矩折ストッパーを形成し十字ワッシャー内にアンカーボルトを拘束し、引き抜き力によるボルトの変形を抑止する。  更に引き寄せ金物下端縁先端部に引き寄せ金物側壁からの突出片を内側に折曲しアンカーボルトに密着させ上下反対方向に働く力によるめり込みを防止する下端ストッパーを内在させた事を特徴とする。【選択図】図１
2011085008.tif 000002
【特許請求の範囲】
【請求項１】
アンカーボルトに被せ固定する角型の引き寄せ金物であって、コの字型に折曲させた両側壁端部から直角に水平板を外側に折曲しビス孔を穿ち、ビス等による取り付け部とした、全ての部分が継ぎ目の無い一体化による事を特徴とする引き寄せ金物。
【請求項２】
引き寄せ金物の左右両側壁上端部の先端部にアンカーボルト突出防止の矩折りストッパーを有し、底部開口の下端先端部に側壁突起片を内側に折曲し柱側へのめり込み防止機能とした事を特徴とする請求項１記載の引きよせ金物。
【請求項３】
側壁上端縁先端部には矩折りストッパーを設け、高効率にアンカーボルトの外側に向かう力を受支する目的から側壁下端縁先端部の水平板ストッパーを密着させた事による先端部を平坦に加工した角型形状の請求項２記載の引き寄せ金物。
【発明の詳細な説明】
【技術分野】
【０００１】  本発明は、木造建築物の土台を介し柱と基礎を緊結固定する場合に使用する引き寄せ金物に関するものである。
【背景技術】
【０００２】  古来より、建築物の部材の接合部は、木材同士を加工し蟻、釜といった形状に加工し、互いを寄せ合い楔や鎹等にて緊結してきたがこれ等は飽くまでも水平方向である横架材に関しての接合であった。【０００３】  垂直方向である柱に関しては、その上下端にホゾを加工し、横架材に開けたホゾ孔に差し込み楔を打ち込むか、釘、鎹等を側面から打ち留めつける等の方法に終始し、それらさえも出来ない場合には通柱を用い大入れと称する角孔を加工し、梁には突起を施し、柱のその部分に差し込み楔等を用い固定するに過ぎなかった。【０００４】  そのため、これ等の方法では欠損が大きく、強大な地震や台風等の自然力に抗しきれず、それらの接合部より破壊される事が多かった。
近年では、帯金物、羽子板ボルト等引き寄せ金物等補助金物により部材同士を緊結する方法が採られており、部材同士を緊結する金物も多数存在している。【０００５】  特に引き寄せ金物は、基礎と柱、柱と柱及び梁と柱等をアンカーボルトやボルトにより直接緊結固定する事を目的としている。
柱に引き抜き力が作用した場合、現在流通している引き寄せ金物その部位に高耐力を得るため、引き寄せ金物を大きくしてきているが、その取り付け工程は建物を構成する構造部材の水平、垂直を決めた後の工程となる。
施工者の持ち運び取り付けを容易にする事を考慮するならば、引き寄せ金物の小型軽量化と同時に施工し易い引き寄せ金物を考案すべきである。
【発明の開示】
【発明が解決しようとする課題】
【０００６】  斯様な従来技術では、個々の引き寄せ金物は、その変形を抑え高耐力得る目的から使用する鋼板も次第に厚く、形状も次第に長大になり、留めつけるビスの数も多く、大重量になっており施工面から見ると不合理な部分が数多く存在する。
然しながら、建築基準法にその類の引き寄せ金物の使用が義務付けられている以上、施工上不合理であってもこれらの引き寄せ金物を使わざるを得ないのが現状である。【０００７】  本発明は、この様な点を鑑み成されたものであり、その目的とするところは、引き寄せ金物の小型軽量化と後付け施工の手順を考慮し、アンカーボルトを抱え込む本体部分の両側の一対の側壁を折曲し、外側に延伸した平板と両側の側壁の大きさ以内にその大きさを限定し、本体の引き抜き力によって生じる隅力によるめり込みを防止し、高耐力化とその変形を最小限に止める事を特徴とするものである。
【課題を解決するための手段】
【０００８】  上述の目的を達成する本発明の引き寄せ金物は、数ミリ厚の鋼板の先端部を平坦にしたＵ字型に折曲したもので、その開口の上端縁と下端縁の先端部にめり込み防止目的の機能を持たせた事を特徴とする。【０００９】  一例を挙げれば、引き抜き力が作用した場合、アンカーボルトとその引き寄せ金物の先端部との距離が無く密着していれば、初期耐力は向上し、全体の変位は変わらないものの破壊に至るまでの時間を引き延ばす事が可能となり引き寄せ金物の破壊に対する粘りが増す事になる。
【発明の効果】
【００１０】  以上説明したように本発明によれば、引き寄せ金物本体及び本体側壁から延伸した平板部がそのまま荷重負担部となる。
延伸した平板部にビス孔を穿ちビスを打つ事により、柱等の構造部材に留めつけ緊結固定する部分となり、全体の大きさの小型化が可能となる。【００１１】  更に、本引き寄せ金物側壁上端縁のアンカーボルト変形防止機能及び下端縁のめり込み防止機能により引き抜き力により発生する隅力に対抗して初期変形を抑止し、引き寄せ金物に粘り耐力を発生させる事が可能となり引き寄せ金物の高耐力化が図れる。
このため、引き寄せ金物の形状は必然的に先端が平坦な角型形状となり、その平面形状は先端平坦なＵ字型となり、側面形状も角型の引き寄せ金物となる。【００１２】  これにより、規則的な角型形状は梱包形態もコンパクトに収めることが可能であり、梱包、搬送経費をも低減する事が出来る。
【発明を実施するための最良の形態】
【００１３】  以下本発明の実施の形態を図面に基づき詳細に説明する。【００１４】  図１〜図３は本発明の第１の実施の形態に係り、図１は本発明の引き寄せ金物を柱に取り付けアンカーボルトとナットにて緊結固定した状態の外観斜視図、図２はその縦断面図、図３は引き寄せ金物内のめり込み防止水平板ストッパーを示す斜視図である。【００１５】  更に、図４〜図８は本発明の引き寄せ金物の詳細図で図４は本発明の引き寄せ金物の平面図、図５は同正面図、図６は同背面図、図７は同右側面図、図８は同底面図である。
図９は第二の実施に係る水平板ストッパー部分の部分断面図、図１０は同第二の実施に係る引き寄せ金物の底面図で、第二の実施に係る引き寄せ金物の機能は第一実施例に同一で第一実施例と同一の効果が得られる。【００１６】  図中１は基礎を示し、Ｂはアンカーボルトを示し、２は土台を示し、３は柱を示し、Ａは引き寄せ金物を示す。【００１７】  基礎１にはアンカーボルトＢが設置され、そのアンカーボルトＢは土台２を貫通し、柱３の下部側面にまで延伸されており、そのアンカーボルトＢには引き寄せ金物Ａが被せられ柱３に引き寄せ金物Ａの平板部分ａからビスｂにて取り付けられ、十字ワッシャーＥ、ナットＣにて緊結固定されている。【００１８】  柱に引き抜き力が作用すると、引き寄せ金物を固定している十字ワッシャーＥとナットＣに反力が生じ、その引き抜き力に抵抗するが、引き抜き力が徐々に大きくなるにつれ、その力は引き寄せ金物Ａの上端縁ｕの先端に集中する。【００１９】  更に、この力は引き寄せ金物Ａ上端縁ｕでは引き寄せ金物Ａ前方に向かう力としてアンカーボルトＢを前方に押し曲げ、反対に引き寄せ金物Ａの柱３側下端縁ｄの柱側との接点ｔでは柱３側に向かう力となり、接点ｔ部分は柱３にめり込む。
即ち、引き抜き力が働くと引き寄せ金物Ａの中で上下反対方向に働く一対の隅力となる。
引き抜き力が大きくなればなるほどこの隅力も大きくなりアンカーボルトＢを更に曲げ、引き寄せ金物Ａの柱側下端縁ｄの柱側接点ｔをめり込ませる方向に働く事になる。【００２０】  この隅力に対抗するには、アンカーボルトＢが引き寄せ金物の先端平坦部Ｆに接していれば変形を抑える事が出来る。
引き寄せ金物上端縁ｕには先端平坦部Ｆと一体となった矩折ストッパーｓを設け、十字ワッシャーＥを用いてアンカーボルトＢを拘束し、下端縁先端部Ｇには引き寄せ金物Ａ本体から突出させた本体と一体の鋼板を折曲し下端ストッパーｓ’を設けめり込み防止機能を構成している。【００２１】  引き寄せ金物Ａの下端縁ｄの下端水平板ストッパーｓ’は、［００１９］で説明するように引き抜き力が引き寄せ金物Ａに作用すると引き寄せ金物Ａの下端縁ｄの柱３に接している部分ｔは、柱３にめり込むが、引き寄せ金物Ａの下端縁ｄの下端水平板ストッパーｓ’が設けられ、ボルトＢと接しているためにそれ以上のめり込みを抑止する事になる。【００２２】  図９〜図１０は本発明の第二実施例に係る引き寄せ金物の下端水平板ストッパーｓ”の構成を示すもので、図９はめり込み防止機能部分の下端水平板ストッパーの部分断面斜視図、図１０はその部分の底面図である。
図１０に示す様に左右の側壁からの突起を内側に折曲し中心部でその先端を向かい合わせ熔着させたｓ”を内臓したものであり、その機能は第一実施例と同一である。
【実施例】
【００２３】  引き寄せ金物Ａのサイズは片手に収まる程度の大きさに成型し、引き寄せ金物の軽量化を図るため、一般に流通している３ミリ程度の鋼板を用いることで十分な耐力を得る事が出来、施工に際しても施工者の釘袋の中に収納出来るため連続して施工することが可能である。【００２４】  以上、本発明の実施の形態及び実施例を説明したが、本発明の範囲はこれに限定されるものでは無い、例えば水平方向に使用すれば、水平に接合される部材同士を引きよせる事も可能である。
更には、増改築、耐震補強等の場合にも簡単に施工出来るため、その応用範囲は新築に限らず多岐に亘り、状況に応じ適宜選択されるものである。
【産業上の利用可能性】
【００２５】  本発明は木造建築物の新築時の耐震性能を高上させる、耐震工事の際の耐震補強金物として、増改築時の追加耐震補強工事等の建築工事の分野にて利用することができる。
【図面の簡単な説明】
【００２６】
【図１】  本発明の実施の形態に係る引き寄せ金物の外観斜視図である。
【図２】  図１の引き寄せ金物の柱に取り付けた状態の部分縦断面図である。
【図３】  本発明第一実施例の形態に係るめり込み防止機能である水平板ストッパーの部分断面斜視図である。
【図４】  本発明の引き寄せ金物の平面図である。
【図５】  同上の正面図である。
【図６】  同上の背面図である。
【図７】  同上の右側面図である
【図８】  同上の底面図である。
【図９】  本発明の第二実の形態に係るめり込み防止機能である水平板ストッパーの部分断面斜視。
【図１０】  同上の底面図である。
【符号の説明】
【００２７】１              基礎
２              土台
３              柱
Ａ              引き寄せ金物
Ｂ              アンカーボルト
Ｃ              ナット
Ｅ              十字ワッシャー
Ｆ              引き寄せ金物先端平坦部
Ｇ              引き寄せ金物下端先端部
ａ              引き寄せ金物平板部分
ｂ              ビス
ｄ              引き寄せ金物下端縁
ｓ              引き寄せ金物上端矩折ストッパー
ｓ’            引き寄せ金物下端水平板ストッパー
ｓ”            第２実施例の引き寄せ金物下端水平板ストッパー
ｔ              引き寄せ金物下端縁部の柱側接点
ｕ              引き寄せ金物上端縁
【図１】
2011085008.tif 000003
【図２】
2011085008.tif 000004
【図３】
2011085008.tif 000005
【図４】
2011085008.tif 000006
【図５】
2011085008.tif 000007
【図６】
2011085008.tif 000008
【図７】
2011085008.tif 000009
【図８】
2011085008.tif 000010
【図９】
2011085008.tif 000011
【図１０】
2011085008.tif 000012